(57)【要約】      （修正有）【課題】カワハギやフグを効果的に釣る仕掛けを提供する。【解決手段】カワハギやフグが興味を持つ目立った「装飾品」と「さびき針」と「引っ掛け針」の３点を組み合わせた仕掛けとした。「装飾品」は大小のビーズや夜光玉を使用し、「さびき針」は長めに切ったスキン・ビニール・ラミネートなどを使用し、「引っ掛け針」は４本針を使用した。「さびき針」（上針）には餌を刺し、魚が近寄って来たところを「引っ掛け針」（下針）で引っ掛ける仕組みである。【選択図】図１
0003134578.tif 000002
【実用新案登録請求の範囲】
【請求項１】
１「カワハギ爆釣仕掛け」は「装飾品」と「さびき針」と「引っ掛け針」の３点を組み合わせた釣仕掛けである。上段は目立つ「装飾品」を付け、中段は「さびき針」（１本針）を使用し、下段はカワハギを引っ掛ける「引っ掛け針」（４本針）を使用している仕掛けである。
２．「フグ爆釣仕掛け」は「さびき針」と「引っ掛け針」の２点を組み合わせた釣仕掛けである。上段は目立つ「装飾品」がなく、中段は「さびき針」（１本針）を使用し、下段はフグを引っ掛ける「引っ掛け針」（４本針）を使用した仕掛けである。
【請求項２】
１．「カワハギ爆釣仕掛け」の上段は幹糸にビーズや夜光玉の「装飾品」を通し、中段の「さびき針」はスキンやビニールやラミネートなどの「装飾品」を取り付け、針の耳上にはビーズや夜光玉を取り付けてある。下段はスナップ付きサルカンに「引っ掛け針」（４本針）を取り付けている。
２．「フグ爆釣仕掛け」の上段は「装飾品」がなく、中段の「さびき針」の耳上部にはビーズや夜光玉の「装飾品」が取り付けてある。下段はスナップ付きサルカンに「引っ掛け針」（４本針）を取り付けている。
【考案の詳細な説明】
【技術分野】
【０００１】この考案は、カワハギやフグを効果的に釣る仕掛けである。
【背景技術】
【０００２】カワハギやフグは魚類の中でも皮膚や歯が非常に頑丈であり、海水汚染にも強く、繁殖力が極めて強い。また、他の稚魚を多量に捕食するので、魚類全体に大きな悪影響を及ぼし、魚類の生態系が崩壊しつつある。
従来のカワハギやフグの釣り仕掛けは、幹糸に３〜５本の針を付け、それに餌を付けて食わせて釣る胴付き仕掛けである。カワハギやフグは餌取りの名手で、どんな針型でも、どんな小さな針を使用した仕掛けでも、餌の付いた針では素早く餌のみ取り去ってしまう。この従来の胴付き仕掛けではカワハギやフグを釣り上げることは至難の技であり、釣果が全く上がらない。
【考案の開示】
【考案が解決しようとする課題】
【０００３】この考案は上部のよく目立つ「装飾品」と、中段の餌を付ける「さびき針」でカワハギやフグを誘き寄せ、下段の「引っ掛け針」で引っ掛ける仕掛けである。釣果を上げることによって、釣り人の生活を潤すと共に、魚類の生態系を正常に保持することに役立つものである。
【課題を解決するための手段】
【０００４】課題を解決するため、カワハギやフグが興味を持つ「装飾品」と「さびき針」と「引っ掛け針」の３点を組み合わせた。「装飾品」は大小のビーズや夜光玉を数珠状に使用し、「さびき針」は長めに切ったスキン・ビニール・ラミネートなどを使用し、「引っ掛け針」は４本針を使用した。「さびき針」（上針）には餌を刺し、魚が近寄って来たところを「引っ掛け針」（下針）で引っ掛ける仕組みである。
【考案の効果】
【０００５】釣果は従来の胴付け仕掛けより、格段の釣果結果が実証できた。
【考案を実施するための最良の形態】
【０００６】この考案の形態を図１、図２に示す。
図１
▲１▼幹糸に上から大小数個の▲２▼ビーズや夜光玉を通し、▲３▼「さびき針」と▲４▼スナップ付きサルカンを順に結び、▲５▼「引っ掛け針」を取り付ける。
0003134578.tif 000003
図２
▲１▼幹糸の上下に▲３▼「さびき針」と▲４▼スナップ付きサルカンを順番に結び、▲５▼「引っ掛け針」を取り付ける。
0003134578.tif 000004
【実施例】
【０００７】船上や防波堤で釣行する。
【産業上の利用価値】
【０００８】この仕掛けは、釣り人が大きく釣果を上げることができるために利用価値が増大し、生態系の正常化にも貢献できて、広く普及するものと予測される。
【図面の簡単な説明】
【０００９】図１ビーズ付仕掛けの説明
上段は▲１▼幹糸に大小数個の▲２▼ビーズ・夜光玉を通し、中段は▲３▼「さびき針」、下段は▲４▼スナップ付きサルカンを結び、それに▲５▼「引っ掛け針」を取り付けてある。「さびき針」の耳上には小さなビーズや夜光玉がある。
図２ビーズなし仕掛けの説明
上段は▲１▼幹糸にビーズや夜光玉がなく、中段は▲３▼「さびき針」、下段には▲４▼スナップ付きサルカンを結び、それに▲５▼「引っ掛け針」を取り付けてある。「さびき針」の耳上には小さなビーズや夜光玉がある。
【符号の説明】
【０００１０】▲１▼幹糸    ▲２▼ビーズ・夜光玉    ▲３▼さびき針・・・針の耳の上に小さなビーズ・夜光玉が付けてあり、スキン・ビニール・ラミネートなどを細長く切って取り付けた針    ▲４▼スナップ付サルカン    ▲５▼引っ掛け針・・・４本組み合わせた針
【図１】
0003134578.tif 000005
【図２】
0003134578.tif 000006
【手続補正書】
【提出日】平成19年5月11日(2007.5.11)
【手続補正１】
【補正対象書類名】実用新案登録請求の範囲
【補正対象項目名】全文
【補正方法】変更
【補正の内容】
【実用新案登録請求の範囲】
【請求項１】
幹糸の上段に装飾用のビーズや夜光玉を、中段にビーズと夜光玉とサビキ針を、下段にスナップ付きサルカンと引っ掛け針を取り付けた釣り仕掛け。
【請求項２】
幹糸の上段に装飾用のビーズと夜光玉を付けなく、中段にビーズと夜光玉とサビキ針を取り付け、下段にナップ付きサルカンと引っ掛け針を取り付けた釣り仕掛け。
【手続補正２】
【補正対象書類名】明細書
【補正対象項目名】全文
【補正方法】変更
【補正の内容】
【考案の詳細な説明】
【技術分野】
【０００１】本考案は、カワハギやフグを効果的に装飾品と餌で誘き寄せて、引っ掛け針で釣り上げる釣り仕掛けに関するものである。
【背景技術】
【０００２】カワハギやフグは魚類の中でも皮膚や歯が非常に頑丈に出来ている。そのため、稚魚を多量に捕食し、急激な海水温度や赤潮などの海水汚染にも耐え、繁殖力が極めて強い。近年、カワハギやフグが各地域で急激に繁殖し、魚類の生態系に危機的な悪影響を与えつつある。
【考案の開示】
【考案が解決しようとする課題】
【０００３】従来の釣り仕掛けは、胴付きサビキ仕掛けであり、幹糸に数個のサビキ針を付け、その針に餌を付けて食わせて釣る仕掛けであるが、カワハギやフグは餌取りの名手として知られ、どんな針型のサビキ針を使用しても、餌で釣る仕掛けでは素早く餌を取り去るので釣果が上がらず、漁師が釣り辛い魚と評している。従って、胴付きの釣り仕掛けではカワハギやフグを釣り上げることは至難の技という悪評が通例として推移し、実態はカワハギやフグが大繁殖し、魚類の生態系が急激に悪化しつつある現状は変わらず、海洋は鯖や鰯などの稚魚が育たない危機的な自然環境へと変貌している。
【課題を解決するための手段】
【０００４】本考案は上記のような点を鑑みて開発されたものである。即ち、本考案は、上記の課題を解決するため、上段のカワハギやフグが興味を持つビーズや夜光玉の装飾品と、中段の小さめのビーズや夜光玉とサビキ針と、下段のスナップ付サルカンに取り付けた引っ掛け針の３段を組み合わせた構成になっている。上段の装飾品は大小のビーズと夜光玉を数珠状に挿して目立つようにし、中段は餌を付けるサビキ針の耳上に小さなビーズと夜光玉を幹糸に通して付け、サビキ針には細く長めに切ったきらきら光る裁断フイルムを接着して取り付け、下段の引っ掛け針はカワハギやフグをより引っ掛け易くするために４本針または３本針仕様とし、交換が容易なスナップ付サルカンに取り付けるように構成した。即ち、カワハギやフグが装飾品や餌の付いたサビキ針に近寄って来たところを下段の引っ掛け針で引っ掛ける釣り仕掛けである。従って、釣り人が容易にカワハギやフグを引っ掛けて釣り上げることによって、釣りを楽しむことが出来る。更に、カワハギやフグの大繁殖に歯止めをかけ、魚類の危機的生態系を正常に保持することに役立つ釣り仕掛けを提供することにある。
【考案の効果】
【０００５】本考案は、従来の胴付けのカワハギ釣り仕掛けが餌を付けた針を食わせて釣るのに比して、装飾品と餌の付いたサビキ針でカワハギやフグを誘き寄せて、下段の引っ掛け針で釣り上げる仕掛けであるために格段の釣果が期待できる。更に、魚類の生態系正常化が期待できる。
【考案を実施するための最良の形態】
【０００６】以下、本考案を実施するための最良の形態を図に基いて説明する。
図１は本考案の全体的な正面図でビーズ付仕掛けの図である。即ち、上段は幹糸１に貫通した大小のビーズ・夜光玉２を挿して結び止めで固定し、中段は幹糸１に貫通した小さなビーズや夜光玉を挿し、下側に細く長めに切ったきらきら光る裁断フイルムを接着したサビキ針３を取り付け、下段はスナップ付きサルカン４に４本針仕様の引っ掛け針５を取り付けた図である。全長が１ｍ５０ｃｍ程度に収まるように構成し、カワハギやフグを下段の引っ掛け針５で引っ掛けて釣る釣り仕掛け図である。
図２は、本考案のビーズなし仕掛けの全体的な正面図である。即ち、カワハギやフグの警戒心が強い場合に使用する釣り仕掛けで、上段に装飾品を付けない以外は、上記の１図と同じ釣り仕掛けの図である。
【実施例】
【０００７】魚船で本考案のサビキ針にイカの切り身を刺し、水深約３５ｍの海底の約１ｍ上で釣行したところ、従来の胴付きサビキ仕掛けでは１日２，３匹の釣果であったものが、本考案では５０匹程度の釣果があった。
【産業上の利用価値】
【０００８】本考案は、釣り人が釣果を大きく上げることができるために利用価値が増大し、更に、魚類の生態系の正常化に貢献できるために広く普及するものと期待できる。
【ビーズ付仕掛けの説明】
【０００９】上段は幹糸１に大小数個のビーズ・夜光玉２を通し、中段はサビキ針３、下段はスナップ付きサルカン４を結び、それに引っ掛け針５を取り付けてある。サビキ針３の耳上には小さなビーズや夜光玉がある。
【ビーズなし仕掛けの説明】
【００１０】上段は幹糸１にビーズや夜光玉がなく、中段はサビキ針３、下段はスナップ付きサルカン４を結び、それに引っ掛け針５を取り付けてある。サビキ針３の耳上には小さなビーズや夜光玉がある。
【図面の簡単な説明】
【０００１１】
【図１】はビーズ付き仕掛けの正面図である。
【図２】はビーズなし仕掛けの正面図である。
【符号の説明】
【００１２】１  幹糸
２  ビーズ・夜光玉
３  サビキ針
４  スナップ付きサルカン
５  引っ掛け針